(57)【特許請求の範囲】
【請求項１】
映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記制御データ及び前記停止命令データを再生する再生手段と、
前記再生された映像情報を表示する表示手段と、
前記表示手段への前記映像情報の表示が規制されたことを検出する検出手段と、
前記動画再生中に前記スチル制御データが再生されたこと、又は前記動画再生中に前記停止命令データが再生されたことを判定する判定手段と、
前記映像情報の表示が規制されたときに前記動画再生中である場合には前記音声情報の再生を継続させ、前記音声情報の前記再生継続中に前記スチル制御データ又は前記停止命令データが再生された場合には前記音声情報の再生を停止させる制御手段と、を備え、
前記制御手段は、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知することを特徴とする情報再生装置。
【請求項２】
前記制御手段は、前記静止画再生に切替えられたことを示す報知データと、前記再生動作が停止されたことを示す報知データの各々と前記操作を促すための画像データを予め記憶する記憶手段を備え、
前記判定手段に判定結果に応じて前記報知データと前記画像データを前記表示手段に表示させることを特徴とする請求項１に記載の情報再生装置。
【請求項３】
映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記制御データ及び前記停止命令データを再生する再生手段と、
前記再生された映像情報を表示する表示手段と、
車両の走行状態を検出する検出手段と、
前記動画再生中に前記スチル制御データが再生されたこと、又は前記動画再生中に前記停止命令データが再生されたことを判定する判定手段と、
前記車両が走行中であると検出されたとき、前記表示手段への前記映像情報の表示を規制するとともに、前記動画再生中である場合には前記音声情報の再生を継続させ前記音声情報の再生継続中に前記スチル制御データ又は前記停止命令データが再生された場合には前記音声情報の再生を停止させる制御手段と、を備え、
前記制御手段は、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知することを特徴とする情報再生装置。
【発明の詳細な説明】
【０００１】
【発明の属する技術分野】
本発明は、情報再生装置に関し、例えば、表示情報の表示を禁止又は停止等があっても、その表示情報に関する再生状況や制御情報等を効果的に表示する情報再生装置に関する。また、車載用の情報再生装置に関するものである。
【０００２】
【従来の技術】
従来、この種の装置として、特許登録番号第２６５４４０５号公報に開示された車載映像表示装置が知られている。この車載映像表示装置は、車両の運行状況を検出し、車両が停止中であれば映像表示を許容し、車両が走行中であれば映像表示を禁止することにより、運転手に対して安全対策を講じることとしている。
【０００３】
【発明が解決しようとする課題】
上記従来の車載用機器は、車両走行中には、特に動画映像の表示を禁止することによって、運転手の安全運転を確保することができるようにしたものであることから、極めて優れた効果を有するものである。
【０００４】
ところが、情報源の多様化や、映像情報を様々な表示形態で表示させる情報媒体が出回るようになり、このため、車両走行中に単に映像表示を禁止したのでは、運転手や同乗者にとって不都合を生じる場合がある。
【０００５】
例えば、映像情報を提供するための情報源として、ＴＶチューナや、ＣＤ（Conpact Disc）再生装置、ＤＶＤ（Digital Video Disk又はDigital Versatile Disk）再生装置、ＧＰＳ衛星よりの電波を受信して現在の走行位置を地図表示するナビゲーションシステム等が組み合わされることにより、高機能の車載用機器が構成されている。また、情報媒体としてのＣＤやＤＶＤも、インタラクティブ編集が可能な論理データ構造を有するものが多くなり、このため、制作者によって予め映像情報を様々な表示形態で表示させるための編集や加工が施されたものが多くなってきている。
【０００６】
このように、情報源と情報媒体の多様化が促進されたため、車載用機器の表示装置には、情報媒体を制作した制作者側の意図する多様な表示形態で、映像情報が表示されるようになった。
【０００７】
この結果、例えば走行停止中に運転手や同乗者がＤＶＤの映像（映画等）を見ていて、走行を開始した場合には、ＤＶＤ装置は再生動作を継続するものの、表示装置による映像表示が禁止されることになるため、運転手や同乗者はその禁止期間中におけるＤＶＤの再生状況が分からなくなる。
【０００８】
より具体的な事例を述べれば、動画再生中に映像表示が禁止されると、オーディオ再生は継続されるので、運転手等はスピーカーの再生音を聴くことでＤＶＤ再生装置が再生動作中であると確認できるものの、映像表示の禁止期間中に、ＤＶＤ制作者の予め編集しておいた静止画再生が行われることになった場合には、オーディオ再生も停止されることになる。
【０００９】
このため、静止画再生中には、運転手等は、情報源（ＤＶＤ装置等）の再生動作が停止しているのか、正常に再生継続中なのか、正常に再生継続中であるにも拘わらず静止画再生中であるために、見かけ上、再生動作が停止しているように見えるのか等の判断情報を容易に入手することができなくなり、映像表示の禁止に対してどの様に対応したらよいのか容易に判断できなくなる状況が想定されるという課題があった。
【００１０】
また、車載用の情報再生装置に限らず、家庭用の情報再生装置等の他の用途においても同様の課題があった。例えば、近年急速に普及しているパーソナルコンピュータにＤＶＤ再生装置等のＡＶ機器を接続することが可能となり、ＤＶＤ再生装置等で再生される映画等をパーソナルコンピュータのモニターに表示しながら、パーソナルコンピュータによる文書作成も同時に行う等の多様化が進んでいる。
【００１１】
このような場合には、映画を見ている途中で文書作成の画面表示にすると、ＤＶＤ再生装置の動作状況がモニター表示されなくなる。このため、ユーザーは、上記の車載用機器と同様の状況に置かれることとなって、ＤＶＤ再生装置の動作状況や再生状況を知ることができなくなり、不都合な状況が生じるという課題があった。
【００１２】
本発明は上記従来の課題に鑑みてなされたものであり、或る表示情報の表示が禁止や停止等された場合でも、その情報を効果的に報知する手段を備えた情報再生装置を提供することを目的とする。
【００１３】
請求項１に記載の発明は、映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記制御データ及び前記停止命令データを再生する再生手段と、前記再生された映像情報を表示する表示手段と、前記表示手段への前記映像情報の表示が規制されたことを検出する検出手段と、前記動画再生中に前記スチル制御データが再生されたこと、又は前記動画再生中に前記停止命令データが再生されたことを判定する判定手段と、前記映像情報の表示が規制されたときに前記動画再生中である場合には前記音声情報の再生を継続させ、前記音声情報の前記再生継続中に前記スチル制御データ又は前記停止命令データが再生された場合には前記音声情報の再生を停止させる制御手段と、を備え、前記制御手段は、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知することを特徴とする。
請求項２記載の発明は、請求項１に記載の情報再生装置であって、前記制御手段は、前記静止画再生に切替えられたことを示す報知データと、前記再生動作が停止されたことを示す報知データの各々と前記操作を促すための画像データを予め記憶する記憶手段を備え、前記判定手段に判定結果に応じて前記報知データと前記画像データを前記表示手段に表示させることを特徴とする。
【００１４】
これら請求項１及び２に係る各発明によれば、映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記スチル制御データ及び前記停止命令データを再生し、表示手段への映像情報の表示が規制されたときに動画再生中である場合には前記音声情報の再生を継続させ、前記音声情報の前記再生継続中に前記スチル制御データ又は前記停止命令データが再生された場合には前記音声情報の再生を停止させるようにする。そして、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知する。このようにすることで、映像情報の表示が規制された状態で音声情報の再生が途切れた場合でもその判断情報を提供することができ、対応を容易に判断させることができる。
【００１５】
請求項３に記載の発明は、映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記制御データ及び前記停止命令データを再生する再生手段と、前記再生された映像情報を表示する表示手段と、車両の走行状態を検出する検出手段と、前記動画再生中に前記スチル制御データが再生されたこと、又は前記動画再生中に前記停止命令データが再生されたことを判定する判定手段と、前記車両が走行中であると検出されたとき、前記表示手段への前記映像情報の表示を規制するとともに、前記動画再生中である場合には前記音声情報の再生を継続させ前記音声情報の再生継続中に前記スチル制御データ又は前記停止命令データが再生された場合には前記音声情報の再生を停止させる制御手段と、を備え、前記制御手段は、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知することを特徴とする。
【００１６】
請求項３に係る発明によれば、映像情報と前記映像情報の再生に伴って再生される音声情報と前記映像情報の動画再生から静止画再生に切替えるためのスチル制御データと、前記映像情報及び前記音声情報の再生動作を停止するための停止命令データとを記録した記録媒体から、前記映像情報、前記音声情報、前記スチル制御データ及び前記停止命令データを再生し、車両が走行中であると検出されたとき、表示手段への映像情報の表示を規制するとともに動画再生中である場合には前記音声情報の再生を継続させ、前記音声情報の前記再生継続中に前記スチル制御データ又は前記停止命令データが再生された場合には前記音声情報の再生を停止させるようにする。そして、前記スチル制御データが再生された場合には前記静止画再生に切替えられたことを示す情報を報知し、前記停止命令データが再生された場合には再生動作が停止されたことを示す情報を報知するとともに再生を再開させる操作を促すための情報を報知する。このようにすることで、映像情報の表示が規制された状態で音声情報の再生が途切れた場合でもその判断情報を提供することができ、対応を容易に判断させることができる。
【００１７】
【発明の実施の形態】
以下、本発明の実施の形態を図面を参照して説明する。図１は、本実施形態の情報再生装置の構成を示すブロック図である。尚、実施の形態として、車載用の情報再生装置１について説明する。
【００１８】
図１において、この情報再生装置１は、ＤＶＤ再生装置２と、ＧＰＳ衛星よりの電波を受信して現在の走行位置を地図表示するナビゲーションシステム３と、テレビジョン放送を受信するＴＶチューナ４と、ＦＭ／ＡＭ放送を受信するＦＭ／ＡＭチューナ５と、ＣＤ再生装置やＭＤ（Mini Disc）再生装置等のその他の再生装置６とを、ユーザーの希望に応じて選択的に組み合わせてシステムアップできる構成になっている。
【００１９】
更に、これらの装置２〜６を統合して制御する制御系統７が備えられ、制御系統７は、装置２〜６から出力されるビデオ信号とオーディオ信号を、液晶ディスプレイ等の表示装置８とオーディオスピーカ９に夫々供給する他、車両に設けられている速度検出装置１０とパーキングブレーキ検出装置１１からの検出信号を入力するようになっている。
【００２０】
ここで、速度検出装置１０は、車両の走行速度を検出するためのセンサ機能を備え、車両の停止中と走行中を示す検出信号Ｓ１を出力する。また、パーキングブレーキ検出装置１１は、車両に設けられているサイドブレーキ等のパーキングブレーキの操作状況を検出するセンサ機能を備え、車両が停止中であることを示す検出信号Ｓ２を出力する。
【００２１】
制御系統７には、予め設定されているシステムプログラムを実行することにより、本情報再生装置１全体の動作を制御するマイクロプロセッサ（ＭＰＵ）を有する中央制御部１２と、オーディオ出力回路１３と、画像形成回路１４が備えられている。
【００２２】
オーディオ出力回路１３は、制御信号線ＣＬを介して中央制御部１２に接続されると共に、オーディオ信号線ＤＬ１を介して上記各装置２〜４，６に接続される。そして、各装置２〜４，６から供給されるオーディオ信号を、中央制御部１２よりの制御信号に従ってオーディオスピーカ９に供給するようになっている。
【００２３】
画像形成回路１４は、制御信号線ＣＬを介して中央制御部１２に接続されると共に、ビデオ信号線ＤＬ２を介して上記各装置２〜６に接続される。そして、各装置２〜６から供給されるビデオ信号を、中央制御部１２よりの制御信号に従って表示装置８に供給するようになっている。
【００２４】
また、画像形成回路１４は、表示装置８の表示画面に操作釦表示を行わせる回路（以下、ＯＳＤ表示回路という）と共に、操作者が操作釦表示の画面に触れたことを検知するタッチパネル式検知回路を内蔵しており、その接触情報を表す検知信号を制御信号線ＣＬを通じて中央制御部へ転送するようになっている。
【００２５】
また、上記のＯＳＤ表示回路は、各装置２〜６の動作状況や所謂メニュー情報を、視認性の良い表示形態で、表示装置８の表示画面に表示させる機能を有している。尚、これらの情報は、画像形成回路１４に予め備えられている読出し専用メモリ（ＲＯＭ）中に画像データとして記憶されており、ＯＳＤ表示回路が、中央制御部１２の指示に従って、所定の画像データをメモリアクセスして、表示装置８に供給するようになっている。
【００２６】
かかる構成により、画像形成回路１４は、上記各装置２〜６からのビデオ信号に基づいて表示装置８に映像再生を行わせる他、再生映像上にメニュー表示等を重ねて表示させたり、上記の操作釦表示を操作させることで運転手や同乗者に所望の操作を行わせるようにしたり、後述する走行規制中に運転手等に有効な情報を表示させるようになっている。
【００２７】
次に、典型例として、ＤＶＤ再生装置２が組合わされた場合の構成をより詳細に説明する。
【００２８】
ＤＶＤ再生装置２は、情報媒体であるＤＶＤを所定のクランプ位置へ搬入又はクランプ位置から搬出するローディング機構（図示省略）と、上記クランプ位置に搬入されたＤＶＤを一定の線速度（ＣＬＶ；Constant Linear Velochity）で回転させるスピンドルモータ１５と、ＤＶＤの記録情報を光学的に読み取るピックアップ１６が備えられている。更に、ピックアップ１６で読み取った記録データを再生回路１７で信号処理可能なデータに変換して復調回路１８で復調し、バッファメモリ１９及びデマルチプレクサ２０を介して、時分割多重されている記録データ中のビデオデータをビデオ伸張回路２１に、記録データ中のオーディオデータをオーディオ伸張回路２２に夫々分離して供給するようになっている。
【００２９】
そして、ビデオ伸張回路２１で伸張処理したビデオデータをＤ／Ａ変換器２３がアナログビデオ信号に変換し、ビデオ信号線ＤＬ２を介して画像形成回路１４に供給すると共に、オーディオ伸張回路２２で伸張処理したオーディオデータをＤ／Ａ変換器２４がアナログオーディオ信号に変換し、オーディオ信号線ＤＬ１を介してオーディオ出力回路１３に供給する。
【００３０】
また、再生回路１７から出力されるトラッキングエラー信号等に基づいてスピンドルモータ１５とピックアップ１６をサーボ制御するサーボ回路２５の他、ＤＶＤ装置２全体の動作を制御するマイクロプロセッサを有する制御部２６が備えられている。制御部２６は、制御信号線ＣＬを介して制御系統７の中央制御部１２とも接続され、中央制御部１２からの指示に従って、適切な同期再生を行うようになっている。
【００３１】
ここで、上記のバッファメモリ１９は、復調回路１８からの記録データを一次的に保持し、その時分割多重されている記録データ中に含まれているナビゲーションデータ（詳細については後述する）と、ビデオ情報であるビデオデータと、オーディオ情報であるオーディオデータとを分離して、ナビゲーションデータは制御部２６へ、ビデオデータとオーディオデータはデマルチプレクサ２０へ出力する。
【００３２】
すなわち、情報媒体であるＤＶＤは、インタラクティブ編集を可能にするために、ビデオデータとオーディオデータを連続したストリームとして記録トラックに記録するのではなく、所定の条件下でランダム記録を可能にする論理データ構造が採用（規格化）されており、更に、読み取ったビデオデータとオーディオデータを連続したストリームとして再生するための制御情報として、上記のナビゲーションデータを予め記録しておくようになっている。
【００３３】
したがって、復調回路１８からは、ビデオデータとオーディオデータがランダムに出力され、このままのデータ配列で映像再生とオーディオ再生を行ったのでは、元の映像とオーディオ情報が復元されなくなる。
【００３４】
そこで、制御部２６が、ナビゲーションデータを取得し且つナビゲーションデータに基づいてバッファメモリ１９の入出力タイミングを制御することにより、ランダムなビデオデータとオーディオデータを、復元可能な連続したストリームに配列し直して出力させるようになっている。
【００３５】
また、デマルチプレクサ２０は、ナビゲーションデータに基づいて制御部２６より指示される同期タイミングに従って、バッファメモリ１９からの上記ビデオデータとオーディオデータを分離（デマルチプレックス）して、ビデオ伸張回路２１とオーディオ信号回路２２へ供給する。
【００３６】
ビデオ伸張回路２１は、データ圧縮されているビデオデータを本来の時間軸上のビデオデータに伸張し、オーディオ伸張回路２２は、データ圧縮されているオーディオデータを本来の時間軸上のオーディオデータに伸張する。
【００３７】
尚、ＤＶＤ規格では、ビデオデータをＭＰＥＧ２（Moving Picture Experts Group ２）ビデオフォーマット（ISO 13818-2）に準拠してデータ圧縮するので、オーディオ伸張回路２２は、これに対応した伸張処理を行うようになっている。
【００３８】
また、オーディオデータのＤＶＤ規格では、リニアＰＣＭ、ＡＣ−３、ＭＰＥＧオーディオの３方式が許容されると共に、何れの方式で記録されているかの情報を上記のナビゲーションデータによって示すこととしている。そこで、オーディオ伸張回路２２は、ナビゲーションデータに基づいて制御部２６より指示される方式に従って、データ圧縮されているオーディオデータを適切に伸張処理するようになっている。
【００３９】
更に、ナビゲーションデータには、上記のビデオデータ及びオーディオデータの配列に関するデータと、上記の圧縮方式に介するデータが存在するだけでなく、インタラクティブ再生を可能にするためのプログラム可能な制御データが規格化されている。ＤＶＤ制作者は、これらの制御データを用いることで、様々な再生方法を予め編集することができるようになっている。
【００４０】
例えば、上記の予めプログラム可能な制御データとして、運転手等のユーザーがＤＶＤ再生装置２にＤＶＤを装填すると、再生開始釦（プレイ釦）を押さなくとも自動的に再生開始を可能にする初期再生データや、ＤＶＤ制作者が意図する時点でＤＶＤ再生装置２の再生動作を自動的に停止させる停止命令データや、動画再生中に静止画再生（スチル再生）に切替えるためのスチル制御データ等を予め記録できるようになっている。
【００４１】
尚、スチル制御データには、動画再生中に特定フレーム画像をＤＶＤ制作者の意図する時間だけ静止画再生にして、その時間後に再び動画再生に自動復帰させることが可能な一時的スチル制御データと、静止画再生に切替えるとユーザーからの動画再生開始の指示があるまで静止画再生状態に固定する固定スチル制御データとがある。
【００４２】
次に、これらの予めプログラム可能な制御データが記録されるＤＶＤの論理データ構造を図２を参照して概説する。
【００４３】
図２において、同図中の最上段に示すように、ＤＶＤのボリューム空間には、内周側のリードイン領域ＬＩと、外周側のリードアウト領域ＬＯと、これらリードインとリードアウト領域の間に設けられたデータ記録領域ＤＺとが備えられている。データ記録領域ＤＺは、物理アドレスと論理アドレスの関係を示す論理フォーマットであるＵＤＦ（Universal Disc Format）が記録される記録領域ＵＤＦと、ビデオデータ記録領域ＶＤＺからなっている。
【００４４】
更に、ビデオデータ記録領域ＶＤＺは、ビデオマネージャ記録領域ＶＭＧと、再生用データであるビデオデータ及びオーディオデータ等を記録するための記録領域ＶＤによって構成されている。
【００４５】
ビデオデータ記録領域ＶＤＺには、各データを、所定の階層化構造に基づいて、セット単位、セル単位、ユニット単位、パック単位等の集合として記録するようになっている。
【００４６】
データ記録領域ＤＺに記録されるデータは、大きく分けて上記のナビゲーションデータと、再生用データであるプレゼンテーションデータから成っている。
【００４７】
プレゼンテーションデータは、同図中の最下段に示すように、上記ＭＰＥＧ２ビデオフォーマットで圧縮されたビデオデータから成るビデオパック（Video Pack）Ｖと、上記３方式で圧縮されたオーディオデータから成るオーディオパック（Audio Pack）Ａと、サブピクチャーパック（Sub-picture Pack）Ｓの集合で構成されている。
【００４８】
尚、サブピクチャパックＳは、字幕やメニュー、カラオケの歌詞等を主映像に重ねて表示することを可能にするためのランレングス圧縮符号化によって圧縮されたデータであり、ナビパックＮは、図示していない再生制御情報（ＰＣＩ）とデータサーチ情報（ＤＳＩ）から成っている。再生制御情報（ＰＣＩ）は、プレゼンテーションデータの状態に従って再生情報を決定するために在り、データサーチ情報（ＤＳＩ）は、順早送り再生と逆早戻し再生及び連続再生に関する情報を有している。
【００４９】
そして、ビデオパックＶとオーディオパックＡ及びサブピクチャパックＳをそれぞれ複数のパック単位の集合とし、パック単位で多重化されたビットストリームによって上記のプレゼンテーションデータが構成される。
【００５０】
また、ビデオパックＶとオーディオパックＡ及びサブピクチャパックＳにナビパックＮを付加して成る一の単位を、ビデオオブジェクトユニット（ＶＯＢＵ）と呼んでいる。
【００５１】
最上位の記録単位として、ビデオタイトルセット（ＶＴＳ；Video Title Set）が決められ、複数のビデオタイトルセットＶＴＳ(#1)〜ＶＴＳ(#n)を記録できるようになっている。
【００５２】
それぞれのビデオタイトルセット（ＶＴＳ）は、ビデオタイトルセット情報（ＶＴＳＩ；Video Title Set Information）と、１又は２以上のビデオオブジェクトセット（ＶＯＢＳ；Video Object Set）と、ビデオタイトルセットインフォメーション（ＶＴＳＩ）と同じ内容のバックアップ制御データとの集合で構成され、更に、それぞれのビデオオブジェクトセット（ＶＯＢＳ）は、１又は２以上のビデオオブジェクト（ＶＯＢ；Video Object）の集合として構成される。
【００５３】
尚、各ビデオオブジェクト（ＶＯＢ）には、ＩＤ番号（V_ID１〜V_IDi）が付されることにより、識別が可能となっている。
【００５４】
更に、各ビデオオブジェクト（ＶＯＢ）は、１又は２以上のセル（Ｃｅｌｌ）の集合によって構成され、各セル（Ｃｅｌｌ）は、１又は２以上の上記ビデオオブジェクトユニット（ＶＯＢＵ；Video Object Unit）で構成される。尚、各セルにも、ＩＤ番号（C_ID1〜C_IDj）が付されることにより、識別が可能となっている。
【００５５】
ナビゲーションデータは、プレゼンテーションデータのアトリビュート（属性；attribute）と再生に必要な制御情報を有し、複数の種類が備えられている。
【００５６】
具体的には、ナビゲーションデータとして、ビデオマネージャ情報（ＶＭＧＩ）、上記のビデオタトルセット情報（ＶＴＳＩ）、プログラムチェーン情報（ＰＧＣＩ）、再生制御情報（ＰＣＩ）、データサーチ情報（ＤＳＩ）が存在する。
【００５７】
ここで、ビデオマネージャ情報（ＶＭＧＩ）は、ビデオタイトルセットＶＴＳ(#1)〜ＶＴＳ(#n)を再生するための管理データであり、プログラムチェーン情報（ＰＧＣＩ）と共に、ビデオマネージャ記録領域（ＶＭＧ）に記録される。更に、プログラムチェーン情報（ＰＧＣＩ）は、各ビデオタイトルセット（ＶＴＳ）の先頭に、上記ビデオタトルセット情報（ＶＴＳＩ）に含めて記録される。
【００５８】
そして、プログラムチェーン情報（ＰＧＣＩ）は、ビデオパックＶとオーディオパックＡ及びサブピクチャーパックＳを有するプレゼンテーションデータの再生順序に関する情報であり、セル（Ｃｅｌｌ）の順序の情報として記録されるものである。
【００５９】
また、上記の初期再生データと、停止命令データ、ポーズ命令データ、スチル制御データ等も、プログラムチェーン情報（ＰＧＣＩ）に含めて記録されるようになっている。
【００６０】
そして、再生時に、これらのナビゲーションデータをプレゼンテーションデータと共に再生させ、ナビゲーションデータに基づいて、プレゼンテーションデータを元のビデオデータとオーディオデータに復元（復調、伸張等）させたり、制作者の意図する表示形態で再生映像を表示させるようになっている。
【００６１】
次に、ナビゲーションシステム３が組み合わされた場合について説明する。ナビゲーションシステム３は、ＧＰＳ衛星よりの電波を受信して現在の走行位置を検出し、ＣＤ−ＲＯＭ等に記録されている地図情報と音声情報と共に、現在の走行位置の情報を、制御系統７中の画像形成回路１４とオーディオ出力回路１３へ供給する。そして、画像形成回路１４が、地図情報と現在の走行位置の情報を様々な表示形態で表示装置８に表示させ、また、オーディオ出力回路１３が音声情報をスピーカ９へ供給する。
【００６２】
また、ＴＶチューナ４、ＦＭ／ＡＭチューナ５及びその他の再生装置６が組み合わされた場合にも、制御系統７を通じて、ビデオ情報又はオーディオ情報等が表示装置８又はスピーカ９に供給される。
【００６３】
次に、かかる構成を有する本情報再生装置１の動作を図３ないし図６を参照して説明する。尚、図３及び図４は、中央制御部１２の制御下での動作を説明するためのフローチャート、図５及び図６は、表示装置８に表示される表示情報を例示した説明図である。また、典型的な動作例として、運転手等のユーザーがＤＶＤ再生装置２とナビゲーションシステム３を操作した場合について説明する。
【００６４】
図３において、運転手等が、情報媒体であるＤＶＤをＤＶＤ再生装置２に挿入すると、ＤＶＤ再生装置２はそのＤＶＤをローディングし（ステップＳ１００）、上述したビデオマネージャ記録領域ＶＭＧに記録されているナビゲーションデータを再生して取得する（ステップＳ１０２）。
【００６５】
次に、中央制御部１２は、ＤＶＤ再生装置２中の制御部２６から転送されてくる上記ナビゲーションデータ中に「初期再生データ」が含まれているかを判定する（ステップＳ１０４）。すなわち、ビデオデータやオーディオデータの自動再生開始を指示するための「初期再生データ」が存在するか否かを判定する。
【００６６】
ここで、初期再生データ」が存在している場合（「ＹＥＳ」の場合）には、中央制御部１２は、ＤＶＤ再生装置２に自動再生を開始させ、更に、画像形成回路１４及びオーディオ出力回路１３に対して、ＤＶＤ再生装置２から出力されるビデオ信号とオーディオ信号を処理させる（ステップＳ１１０）。
【００６７】
一方、「初期再生データ」が存在しない場合（「ＮＯ」の場合）には、ＤＶＤ再生装置２は再生停止状態となり、中央制御部１２は、画像形成回路１４に対して、再生停止中である旨のＯＳＤ表示を行わせる（ステップＳ１０６）。これにより、図６（ｂ）に示すように、表示装置８の画面８ａには、運転手等の操作を促すためのＯＳＤ操作釦表示「再生」「停止」「巻戻し」「早送り」が表示される。
【００６８】
そして、運転手等が、画面８ａに表示された「再生」のＯＳＤ操作釦に触れると、画像形成回路１４中の上記タッチパネル式検知回路がこの接触を検知し、接触情報を中央制御部１２に知らせる。中央制御部１２が上記接触情報を受信すると（ステップＳ１０８）、ステップＳ１１０に移行し、ＤＶＤ再生装置２と画像形成回路１４及びオーディオ出力回路１３に対して再生動作を開始させる。
【００６９】
次に、中央制御部１２が、速度検出装置１０とパーキングブレーキ検出装置１１からの検出信号に基づいて、車両が停止中か否か判定する（ステップＳ１１２）。
【００７０】
ここで、車両が停止中であれば、図４に示すステップＳ２００以降の処理に移行し、車両が走行中であれば（「ＮＯ」の場合）、ステップＳ１１４の処理に移行して、ナビゲーションシステム３が動作中であるか否か判定する。
【００７１】
ナビゲーションシステム３が動作中でなければ、画像形成回路１４に指示して表示装置８の画面をブルーバック表示に切り替えさせる（ステップＳ１１６）。すなわち、車両が走行中であれば、表示装置８の画面８ａ全体を青色表示にすることでＤＶＤの映像表示を禁止し、これによって、運転手の安全運転を確保する。
【００７２】
一方、ナビゲーションシステム３が動作中であれば、今まで運転手等の指示に従って優先的に表示されていたＤＶＤの映像表示を禁止し、代わりに、表示装置８の画面８ａをナビ画面に切り替えて、ナビゲーションシステム３から出力されるビデオ信号に基づいて地図情報を表示させる。
【００７３】
尚、ナビゲーションシステム３からのビデオ信号に基づいて地図情報を表示することは走行規制に違反しない。そこで、運転手等の利便性向上を図ることを考慮して、自動的に地図情報の表示に切り替えることとしている。
【００７４】
次に、ステップＳ１２０において、画像形成回路１４中のＯＳＤ表示回路が、表示装置８の画面の一部分に、走行規制に従ってＤＶＤの映像表示を禁止した旨を報知するためのスーパーインポーズ表示を行わせる。すなわち、図５（ａ）に示すように、ナビゲーションシステム３が動作中でなければ、ブルーバック表示の画面８ａの上部に、「ＤＶＤ／再生中」等の報知情報を重ねて表示する。また、ナビゲーションシステム３が動作中であれば、地図情報が表示されている画面８ａの上部に、「ＤＶＤ／再生中」等の報知情報を重ねて表示する。
【００７５】
したがって、走行規制に従ってＤＶＤの映像表示を禁止した場合でも、ＤＶＤ再生装置２の再生動作が継続中である旨の報知情報をスーパーインポーズ表示することにより、運転手等に対してＤＶＤ再生装置２の動作状況を知らせることができるようになっている。
【００７６】
次に、ＤＶＤ制作者の予め編集しておいた「スチル制御データ」が再生されたか否かを判断する（ステップＳ１２２）。すなわち、一時的スチル制御データ又は固定スチル制御データの再生の有無を判断する。
【００７７】
これらの「スチル制御データ」を検知した場合には、ステップＳ１２４において、画像形成回路１４中のＯＳＤ表示回路が、図５（ｂ）に示すように、表示装置８の画面８ａの一部分に、静止画再生中である旨を報知するためのスーパーインポーズ表示を行わせ、再びステップＳ１１０からの再生動作を継続する。
【００７８】
すなわち、走行規制中でなければ、上述したプログラムチェーン情報（ＰＧＣＩ）に含めて「スチル制御データ」が記録されていた場合には、ＤＶＤ制作者の意図する静止画が表示されることになるが、走行規制中であるため、図５（ｂ）に示すように、「ＤＶＤ／静止画中」のスーパーインポーズ表示を行う。尚、ナビゲーションシステム３が動作中でなければ、上述したブルーバック表示上に「ＤＶＤ／静止画中」のスーパーインポーズ表示を重ねて表示し、ナビゲーションシステム３が動作中であれば、上述した地図情報に、「ＤＶＤ／静止画中」のスーパーインポーズ表示を重ねて表示する。
【００７９】
このように、「ＤＶＤ／静止画中」のスーパーインポーズ表示を行うことで、ＤＶＤ再生装置２の現在の動作状況を運転手等に知らせることができる。
【００８０】
上記ステップＳ１２２において「スチル制御データ」を検知しなかった場合には、ステップＳ１２６に移行して、ＤＶＤ制作者の予め編集しておいた「停止命令データ」が再生されたか否かを判断する。「停止命令データ」を検知しなかった場合（「ＮＯ」の場合）には、ステップＳ１１０に戻り、「停止命令データ」を検知した場合（「ＹＥＳ」の場合）には、ステップＳ１２８に移行する。
【００８１】
ステップＳ１２８では、ＤＶＤ再生装置２の再生動作を停止させる。次に、ステップＳ１３０において、図５（ｃ）に示すように、表示装置８の画面８ａの一部分に「ＤＶＤ／停止中」のスーパーインポーズ表示を行う他、図示していないが画面８ａの下部領域に操作者の次の操作を促すためのＯＳＤ操作ボタン表示を行う。そして、ステップＳ１３２において、再生釦のＯＳＤ表示が操作されるまで上記の表示を継続し、再生釦が押されると、「ＤＶＤ／停止中」のスーパーインポーズ表示を消してステップＳ１１０へ移行する。
【００８２】
このように、「ＤＶＤ／停止中」のスーパーインポーズ表示を行うことで、制作者の意図にしたがって成されたＤＶＤ再生装置２の停止状況を運転手等に知らせることができる。
【００８３】
次に、上述したステップＳ１１２において、車両が停止中であった場合には、図４中のステップＳ２００に移行して、図６（ａ）に示すように、表示装置８の画面８ａの下部に、ＯＳＤ操作釦を表示させる。
【００８４】
すなわち、この場合にはＤＶＤ再生装置２が再生中であるため、表示装置８の画面８ａにはＤＶＤの再生映像が表示され、更に、運転手等が所望の操作を行うためのＯＳＤ操作釦が表示される。また、ＤＶＤ再生装置２が再生中であることから、「再生」の操作を行うための釦表示は行わず、次に操作可能な釦表示として、「一時停止」「停止」「巻戻し」「早送り」の表示を行う。
【００８５】
次に、ステップＳ２０２において、制作者の意図する静止画再生が行われ、それに応じて「スチル制御データ」を検知すると、ステップＳ２０４〜Ｓ２０８の処理に移行する。また、「スチル制御データ」を検知しない場合には、ステップＳ２１０へ移行する。
【００８６】
ステップＳ２０４に移行すると、図６（ｂ）に示すように、静止画再生中である旨のＯＳＤ釦表示を行う。すなわち、次に操作可能な釦表示として、「再生」「停止」「巻戻し」「早送り」の表示を行う。
【００８７】
次に、ステップＳ２０６において、制作者が意図する静止画再生期間のモードが終了したか否か判断し、静止画再生モードが終了した場合（「ＹＥＳ」の場合）には、動画再生に復帰してステップＳ２１０へ移行する。静止画再生モードが終了していなければステップＳ２０８へ移行して、運転手等による「再生」のＯＳＤ表示釦が操作（接触）されたか否か判断し、この操作がなされた場合（「ＹＥＳ」の場合）には、動画再生モードにしてステップＳ２１０へ移行し、操作されなければ（「ＮＯ」の場合）には、ステップＳ２０６からの処理を繰り返す。
【００８８】
このように、制作者が意図する静止画再生期間中にＯＳＤ操作釦表示を行うことで、運転手等に対して、制作者の意図する静止画再生期間中である旨の情報を提供することができると共に、「再生」のＯＳＤ操作釦を操作すれば強制的に静止画再生モードを解除して、次の再生開始を指示できる旨の情報を提供することができる。
【００８９】
次に、ステップＳ２１０では、「停止命令データ」を検知したか否か判断する。ここで、「停止命令データ」を検知した場合には、ステップＳ２１２〜Ｓ２１８の処理に移行する。また、「停止命令データ」を検知しない場合には、ステップＳ２２０へ移行する。
【００９０】
ステップＳ２１２に移行すると、ＤＶＤ再生装置２の再生動作が停止する結果、表示装置８の画面８ａには再生映像が表示されなくなる。そして、ステップＳ２１４において、図６（ｃ）に示すようなＯＳＤ操作釦を表示させる。すなわち、ＤＶＤ再生装置２が再生動作停止中であるため、「停止」のＯＳＤ表示釦は表示させず、次に運転手等が操作可能な釦表示として、「再生」「巻戻し」「早送り」のＯＳＤ釦表示を行わせる。
【００９１】
次に、ステップＳ２１６において、運転手等により「再生」のＯＳＤ操作釦が操作されるまで待機し、「再生」のＯＳＤ操作釦が操作されると、ステップＳ２１８に移行してＤＶＤ再生装置２に再生動作を開始させてステップＳ２２０へ移行する。
【００９２】
ステップＳ２２０では、図示していないリモートコントロラーに設けられている停止釦（ＤＶＤ再生装置２の再生動作を停止させるための操作釦）が操作されたか否か判断する。この停止釦が操作された場合（「ＹＥＳの場合」）には、ステップＳ２１２からの処理へ移行し、停止釦が操作されなければ（「ＮＯの場合」）、図３中のステップＳ１１０に移行して再生動作を継続させる。
【００９３】
尚、ステップＳ２２０において上記の停止釦が操作された場合（「ＹＥＳの場合」）には、ステップＳ２１２に移行せずに、ＤＶＤ再生装置２の再生動作を直接的に停止させてもよい。
【００９４】
このように、本実施形態の車載用の情報再生装置によれば、走行規制中のために表示装置８に映像表示がなされなくなっても、予め情報媒体に記録されている制御データに基づいてＤＶＤ再生装置２が動作している現在の動作状況を、スーパーインポーズ表示の表示形態で表示するようにしたので、運転者等に対して適切な情報を提供することができる。
【００９５】
また、予め「初期再生データ」が記録されているＤＶＤがＤＶＤ再生装置２に挿入された場合には、自動的に再生動作を開始させ、「初期再生データ」が記録されていないＤＶＤがＤＶＤ再生装置２に挿入された場合には、運転手等に対して「再生」操作を促すためのＯＳＤ操作釦表示を行うようにしたので、必要な場合だけＯＳＤ操作釦表示を行うことができる。すなわち、自動的に再生動作を開始する場合には、運転手等の操作を必要としないので、「再生」操作を促すためのＯＳＤ操作釦表示を行わないこととし、手動で再生開始の指示をする必要のある場合に上記の「再生」操作を促すためのＯＳＤ操作釦表示を行うようにしたので、合理的なＯＳＤ表示を行うことができる。
【００９６】
また、「スチル制御データ」又は「停止命令データ」が予め記録されているＤＶＤを再生する場合に、走行規制中であっても、それらの制御データに対応したＯＳＤ操作釦表示を行うようにしたので、運転手等に対して利便性の向上を図ることができる。
【００９７】
尚、本実施の形態では、上記各制御データを検知すると、表示装置８にＯＳＤ表示を行うことで運転手等に視覚的に報知することとしたが、本発明はこれに限定されるものではなく、オーディオ出力装置１３とスピーカ９によって効果音を鳴動させることで報知するようにしてもよい。また、オーディオ出力装置１３に音声合成回路を内蔵しておき、合成音声によって報知するようにしてもよい。
【００９８】
また、上記装置２〜６を組み合わせてシステムアップできる構成について説明したが、装置２〜６の中から予め所定の装置を組み合わせる一体化させた構成にしてもよい。また、制御系統７に表示装置８を着脱自在に接続する構成にしたり、制御系統７と表示装置８とを予め一体化させた構成にしてもよい。
【００９９】
また、実施形態として、車載用の情報再生装置を説明したが、本発明は、かかる用途に限定されるものではなく、各種の映像電子機器に適用できるものである。例えば、従来技術の課題として説明したパーソナルコンピュータや、パーソナルコンピュータに接続する映像電子機器や、家庭用電子機器等にも適用することができる。
【０１００】
【発明の効果】
以上説明したように本発明によれば、表示手段への映像情報の表示が規制されたときに映像情報が動画再生中である場合にはそれに伴って再生される音声情報の再生を継続させ、音声情報の再生継続中にスチル制御データ又は停止命令データを検出すると、音声情報の再生を停止させるようにしているので、映像情報が見えない状態になってもスチル制御データ又は停止命令データを検出しない状態では音声情報のみ聴取することができる。そして、スチル制御データが再生された場合には静止画再生に切替えられたことを示す情報を報知し、停止命令データが再生された場合には再生動作が停止されたことを示す情報を報知するとともに再生を再開させる操作を促すための情報を報知する。このようにすることで、映像情報の表示が規制された状態で音声情報の再生が途切れた場合でもその判断情報を提供することができ、対応を容易に判断させることができる。
【０１０１】
このようにすることで、映像情報の表示が規制された状態で音声情報の再生が途切れた場合でもその判断情報を提供することができ、対応を容易に判断させることができる。
【０１０２】
また、車両が走行中であると検出されたとき、表示手段への映像情報の表示を規制するとともに映像情報が動画再生中である場合にはそれに伴って再生される音声情報の再生を継続させ、音声情報の再生継続中にスチル制御データ又は停止命令データが再生された場合には音声情報の再生を停止させるようにしているので、映像情報が見えない状態になってもスチル制御データ又は停止命令データを検出しない状態では音声情報のみ聴取することができる。そして、スチル制御データが再生された場合には静止画再生に切替えられたことを示す情報を報知し、停止命令データが再生された場合には再生動作が停止されたことを示す情報を報知するとともに再生を再開させる操作を促すための情報を報知する。このようにすることで、映像情報の表示が規制された状態で音声情報の再生が途切れた場合でもその判断情報を提供することができ、対応を容易に判断させることができる。
【図面の簡単な説明】
【図１】本実施形態の情報再生装置の構成を示すブロック図である。
【図２】情報媒体であるＤＶＤの論理データ構造を示す説明図である。
【図３】本実施形態の情報再生装置の動作を説明するためのフローチャートである。
【図４】本実施形態の情報再生装置の動作を更に説明するためのフローチャートである。
【図５】車両走行中に表示装置に表示されるＯＳＤ表示の内容を示す説明図である。
【図６】車両停止中に表示装置に表示されるＯＳＤ操作釦表示の内容を示す説明図である。
【符号の説明】
１…情報再生装置
２…ＤＶＤ」再生装置
３…ナビゲーションシステム
７…制御系統
８…表示装置
９…スピーカ
１０…速度検出装置
１１…パーキングブレーキ検出装置
１２…中央制御部
１３…オーディオ出力回路
１４…画像形成回路
【図１】
0003992870.tif 000002
【図２】
0003992870.tif 000003
【図３】
0003992870.tif 000004
【図４】
0003992870.tif 000005
【図５】
0003992870.tif 000006
【図６】
0003992870.tif 000007